(57)【特許請求の範囲】
【請求項１】
複数の電子部品と、
前記複数の電子部品が接続される回路配索部材と、
中空状の内部に形成され前記回路配索部材を収容する収容空間部、及び、前記収容空間部と外部とを連通する開口部を有する収容部材と、
少なくとも１つに前記電子部品を搭載する搭載部が設けられた複数のパネル体を有し、隣接する前記パネル体同士が相互に連結された状態で前記開口部を塞ぐ蓋部材とを備え、
前記複数のパネル体は、前記搭載部を有し前記搭載部によって前記開口部の一部を塞ぐ部品搭載用パネル体と、平坦な板状に形成された閉塞面を有し前記閉塞面によって前記開口部の一部を塞ぐ閉塞用パネル体とを含むことを特徴とする、
電気接続箱。
【請求項２】
前記複数のパネル体は、前記蓋部材が前記開口部を塞いだ状態で前記回路配索部材に対する設置位置に応じて形状が異なるものを含む、
請求項１に記載の電気接続箱。
【請求項３】
前記複数のパネル体は、前記収容部材の前記開口部を形成する内壁面から離間して位置し、他の前記パネル体と隣接可能な各辺にそれぞれ前記他のパネル体が隣接する中央部パネル体を含む、
請求項１又は請求項２に記載の電気接続箱。
【請求項４】
前記パネル体は、他の前記パネル体と隣接可能な各辺の長さであって前記収容部材と前記蓋部材とが積層される方向と直交する方向に沿った長さが予め設定された基準寸法の整数倍の長さに形成される、
請求項１乃至請求項３のいずれか１項に記載の電気接続箱。
【請求項５】
前記パネル体は、他の前記パネル体と隣接可能な各面にパネル体側連結構造を有し、当該パネル体側連結構造が前記他のパネル体の前記パネル体側連結構造と相互に係合して連結される、
請求項１乃至請求項４のいずれか１項に記載の電気接続箱。
【請求項６】
前記収容部材は、前記開口部を形成する内壁面に、前記パネル体側連結構造と相互に係合して連結される収容部材側連結構造を有する、
請求項５に記載の電気接続箱。
【請求項７】
電線と、
前記電線と電気的に接続される複数の電子部品と、前記複数の電子部品が接続される回路配索部材と、中空状の内部に形成され前記回路配索部材を収容する収容空間部、及び、前記収容空間部と外部とを連通する開口部を有する収容部材と、少なくとも１つに前記電子部品を搭載する搭載部が設けられた複数のパネル体を有し、隣接する前記パネル体同士が相互に連結された状態で前記開口部を塞ぐ蓋部材とを含んで構成される電気接続箱とを備え、
前記複数のパネル体は、前記搭載部を有し前記搭載部によって前記開口部の一部を塞ぐ部品搭載用パネル体と、平坦な板状に形成された閉塞面を有し前記閉塞面によって前記開口部の一部を塞ぐ閉塞用パネル体とを含むことを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、ケース本体の内部に回路材を収容すると共に該ケース本体の両側外面に雌連結部と雄連結部を設けた小型の標準ボックスを設け、車種に応じて上記標準ボックスを複数個並設し、上記雌連結部と雄連結部で順次連結して一体化するジャンクションボックスが開示されている。このジャンクションボックスは、ケース本体に取り付けるロアケースとして、連結個数に応じた大きさとした１つのロアケースを専用に設けると共に、該ロアケースに車体取付部を突設している。
【先行技術文献】
【特許文献】
【０００３】
【特許文献１】特開２００４−２０１４４８号公報
【発明の概要】
【発明が解決しようとする課題】
【０００４】
ところで、上述の特許文献１に記載のジャンクションボックスは、例えば、汎用性向上の点で更なる改善の余地がある。
【０００５】
本発明は、上記の事情に鑑みてなされたものであって、汎用性を向上することができる電気接続箱、及び、ワイヤハーネスを提供することを目的とする。
【課題を解決するための手段】
【０００６】
上記目的を達成するために、本発明に係る電気接続箱は、複数の電子部品と、前記複数の電子部品が接続される回路配索部材と、中空状の内部に形成され前記回路配索部材を収容する収容空間部、及び、前記収容空間部と外部とを連通する開口部を有する収容部材と、少なくとも１つに前記電子部品を搭載する搭載部が設けられた複数のパネル体を有し、隣接する前記パネル体同士が相互に連結された状態で前記開口部を塞ぐ蓋部材とを備え、前記複数のパネル体は、前記搭載部を有し前記搭載部によって前記開口部の一部を塞ぐ部品搭載用パネル体と、平坦な板状に形成された閉塞面を有し前記閉塞面によって前記開口部の一部を塞ぐ閉塞用パネル体とを含むことを特徴とする。
【０００７】
また、上記電気接続箱では、前記複数のパネル体は、前記蓋部材が前記開口部を塞いだ状態で前記回路配索部材に対する設置位置に応じて形状が異なるものを含むものとすることができる。
【０００９】
また、上記電気接続箱では、前記複数のパネル体は、前記収容部材の前記開口部を形成する内壁面から離間して位置し、他の前記パネル体と隣接可能な各辺にそれぞれ前記他のパネル体が隣接する中央部パネル体を含むものとすることができる。
【００１０】
また、上記電気接続箱では、前記パネル体は、他の前記パネル体と隣接可能な各辺の長さであって前記収容部材と前記蓋部材とが積層される方向と直交する方向に沿った長さが予め設定された基準寸法の整数倍の長さに形成されるものとすることができる。
【００１１】
また、上記電気接続箱では、前記パネル体は、他の前記パネル体と隣接可能な各面にパネル体側連結構造を有し、当該パネル体側連結構造が前記他のパネル体の前記パネル体側連結構造と相互に係合して連結されるものとすることができる。
【００１２】
また、上記電気接続箱では、前記収容部材は、前記開口部を形成する内壁面に、前記パネル体側連結構造と相互に係合して連結される収容部材側連結構造を有するものとすることができる。
【００１３】
上記目的を達成するために、本発明に係るワイヤハーネスは、電線と、前記電線と電気的に接続される複数の電子部品と、前記複数の電子部品が接続される回路配索部材と、中空状の内部に形成され前記回路配索部材を収容する収容空間部、及び、前記収容空間部と外部とを連通する開口部を有する収容部材と、少なくとも１つに前記電子部品を搭載する搭載部が設けられた複数のパネル体を有し、隣接する前記パネル体同士が相互に連結された状態で前記開口部を塞ぐ蓋部材とを含んで構成される電気接続箱とを備え、前記複数のパネル体は、前記搭載部を有し前記搭載部によって前記開口部の一部を塞ぐ部品搭載用パネル体と、平坦な板状に形成された閉塞面を有し前記閉塞面によって前記開口部の一部を塞ぐ閉塞用パネル体とを含むことを特徴とする。
【発明の効果】
【００１４】
本発明に係る電気接続箱、及び、ワイヤハーネスは、電子部品が接続される回路配索部材を収容する収容部材の開口部を塞ぐ蓋部材を、少なくとも１つに電子部品を搭載する搭載部が設けられた複数のパネル体を組み合わせることによって多様に構成することができる。この結果、電気接続箱、ワイヤハーネスは、汎用性を向上することができる、という効果を奏する。
【図面の簡単な説明】
【００１５】
【図１】図１は、実施形態に係る電気接続箱の概略構成を表す分解斜視図である。
【図２】図２は、実施形態に係る電気接続箱の部品搭載用パネル体のバリエーションについて説明する斜視図である。
【図３】図３は、実施形態に係る電気接続箱の部品搭載用パネル体のバリエーションについて説明する斜視図である。
【図４】図４は、実施形態に係る電気接続箱の部品搭載用パネル体のバリエーションについて説明する斜視図である。
【図５】図５は、実施形態に係る電気接続箱の部品搭載用パネル体のバリエーションについて説明する斜視図である。
【図６】図６は、実施形態に係る電気接続箱の部品搭載用パネル体のバリエーションについて説明する斜視図である。
【図７】図７は、実施形態に係る電気接続箱の部品搭載用パネル体のバリエーションについて説明する斜視図である。
【図８】図８は、実施形態に係る電気接続箱の部品搭載用パネル体のバリエーションについて説明する斜視図である。
【図９】図９は、実施形態に係る電気接続箱の閉塞用パネル体のバリエーションについて説明する斜視図である。
【図１０】図１０は、実施形態に係る電気接続箱の閉塞用パネル体のバリエーションについて説明する斜視図である。
【図１１】図１１は、実施形態に係る電気接続箱の閉塞用パネル体のバリエーションについて説明する斜視図である。
【図１２】図１２は、実施形態に係る電気接続箱の連結構造を説明する模式図である。
【図１３】図１３は、実施形態に係る電気接続箱の連結構造を説明する部分斜視図である。
【図１４】図１４は、実施形態に係る電気接続箱における組み合わせの一例を説明する斜視図である。
【図１５】図１５は、実施形態に係る電気接続箱における組み合わせの一例を説明する斜視図である。
【図１６】図１６は、実施形態に係る電気接続箱における組み合わせの一例を説明する斜視図である。
【図１７】図１７は、実施形態に係る電気接続箱における組み合わせの一例を説明する斜視図である。
【図１８】図１８は、実施形態に係る電気接続箱における組み合わせの一例を説明する斜視図である。
【図１９】図１９は、実施形態に係る電気接続箱における組み合わせの一例を説明する斜視図である。
【発明を実施するための形態】
【００１６】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１７】
［実施形態］
図１は、実施形態に係る電気接続箱の概略構成を表す分解斜視図である。図２、図３、図４、図５、図６、図７、図８は、実施形態に係る電気接続箱の部品搭載用パネル体のバリエーションについて説明する斜視図である。図９、図１０、図１１は、実施形態に係る電気接続箱の閉塞用パネル体のバリエーションについて説明する斜視図である。図１２は、実施形態に係る電気接続箱の連結構造を説明する模式図である。図１３は、実施形態に係る電気接続箱の連結構造を説明する部分斜視図である。図１４、図１５、図１６、図１７、図１８、図１９は、実施形態に係る電気接続箱における組み合わせの一例を説明する斜視図である。なお、図１は、わかり易くするために電線、コネクタのうちの１つを二点鎖線で図示し他を省略し、他図では、電線、コネクタの図示を省略している。
【００１８】
図１に示す電気接続箱１は、自動車等の車両に搭載され、ワイヤハーネスＷＨに組み込まれ、電線等の接続処理用部品を構成するコネクタ、ヒューズ、リレー、コンデンサ、分岐部、電子制御ユニット等の電装品を集約して内部に収容するものである。電気接続箱１は、例えば、車両のエンジンコンパートメント（エンジンルーム）や車両室内に設置され、バッテリ等の電源と、車両内に搭載される各種電子機器との間に接続されている。電気接続箱１は、電源から供給された電力を車両内の各種電子機器に分配する。なお、電気接続箱１は、ジャンクションボックス、ヒューズボックス、リレーボックスなどとも呼ばれる場合があるが、本実施形態ではこれらを総称して電気接続箱と呼ぶ。
【００１９】
ここで、ワイヤハーネスＷＨは、例えば、車両に搭載される各装置間の接続のために、電源供給や信号通信に用いられる複数の電線Ｗを束にして集合部品とし、コネクタ２２等で複数の電線Ｗを一度に各装置に接続するようにしたものである。ワイヤハーネスＷＨは、複数の電線Ｗと、当該電線Ｗと電気的に接続される電気接続箱１とを備える。電線Ｗは、例えば、複数の導電性の金属素線を撚り合わせた導体部（芯線）と、当該導体部の外側を覆う絶縁性の被覆部とを含んで構成される。ワイヤハーネスＷＨは、複数の電線Ｗを束ねて集約し束ねられた電線Ｗの端部に接続部としてのコネクタ２２等を介して電気接続箱１が電気的に接続される。ワイヤハーネスＷＨは、この他、さらに、グロメット、プロテクタ、固定具等を含んで構成されてもよい。
【００２０】
電気接続箱１は、複数の電子部品２と、回路配索部材３と、収容部材としてのロアカバー４と、少なくとも１つに電子部品２が搭載される複数のパネル体５０を含んで構成される蓋部材としてのアッパカバー５とを備える。ロアカバー４とアッパカバー５とは、所定の積層方向に沿って積層される。言い換えれば、積層方向とは、ロアカバー４とアッパカバー５とが積層される方向である。
【００２１】
本実施形態の電気接続箱１は、例えば、適用される車種やプラットフォーム等にかかわらず、電子部品２等を可能な限り標準化、共用化する一方、ロアカバー４やロアカバー４に組み付けられるアッパカバー５を構成するパネル体５０等にバリエーションを持たせたものである。ここでは、ロアカバー４、パネル体５０等は、予め設定された基準寸法に基づいて標準化された上でバリエーションが設定される。そして、電気接続箱１は、適用される車種等に応じて要求される回路構成、ボリューム等に基づいて、最適な容量のロアカバー４を適宜選定すると共に、当該ロアカバー４に組み付ける複数のパネル体５０等を適宜選定して組み合わせて構成されることで、部材の標準化、共用化による汎用性の向上と、部材の選択多様性による最適化とをバランスよく両立することができるものである。
【００２２】
以下、電気接続箱１の各構成について具体的に説明する。なお、以下では、特に断りのない限り、電気接続箱１の各部が組み付けられ車両に搭載された状態での方向として説明する。またここでは、以下の説明を分かり易くするために、便宜的に互いに交差する第１方向、第２方向、及び、第３方向のうち、第１方向を「積層方向」といい、第２方向を「第１幅方向」といい、第３方向を「第２幅方向」という。第１方向としての積層方向と第２方向としての第１幅方向と第３方向としての第２幅方向とは、相互に直交する。また、積層方向においてアッパカバー５が設けられる側を上側、ロアカバー４が設けられる側を下側という場合がある。
【００２３】
電子部品２は、種々の導電性の部材を介して電線Ｗに電気的に接続されるものである。電子部品２は、複数設けられる。電子部品２は、例えば、コネクタ、ヒューズ、リレー、コンデンサ、分岐部、電子制御ユニット、これらをユニット化した電子部品ユニット等である。また、電子部品２は、コネクタ、ヒューズ、リレー、コンデンサ、分岐部、電子制御ユニット、電子部品ユニット等を後述の回路配索部材３に電気的に接続し支持する端子類も広く含む概念である。本実施形態の複数の電子部品２は、種々のヒューズ２１、種々のコネクタ（電源入力用のコネクタや電源出力用のコネクタ等）２２等に加えて、ヒューズ２１と電気的に接続されこれを支持するヒューズ端子２３、コネクタ２２と電気的に接続されこれを支持するコネクタ端子２４等を含んで構成される。ここでは、電子部品２は、電気接続箱１における構成要素として最小単位となる要素、例えば、ヒューズ端子２３、コネクタ端子２４を、適用される車種等にかかわらず標準化、共用化することが好ましい。一方、電子部品２は、ヒューズ２１、コネクタ２２を、適用される車種等に応じてバリエーションを持たせて用意してもよいし、これらヒューズ２１、コネクタ２２も、可能な限り適用される車種等にかかわらず標準化、共用化してもよい。
【００２４】
回路配索部材３は、複数の電子部品２が電気的に接続されるものである。回路配索部材３は、適用される車種等に応じて要求される回路を構成する。回路配索部材３は、例えば、絶縁性の樹脂材料からなる絶縁基板の表面（実装面）に、銅等の導電性の材料によって配線パターン（プリントパターン）が印刷されたいわゆるプリント回路基板（Ｐｒｉｎｔｅｄ  Ｃｉｒｃｕｉｔ  Ｂｏａｒｄ：ＰＣＢ）、導電性の金属材料からなるバスバ、当該バスバを絶縁性の樹脂材料で被覆したバスバプレート等を用いることができる。本実施形態の回路配索部材３は、略矩形板状に形成されたプリント回路基板によって構成され、ここでは、実装面にリレー３１やリレー抵抗３２等が実装されている。
【００２５】
ロアカバー４は、内部に回路配索部材３を収容する筐体を構成する主たる部分である。ロアカバー４は、絶縁性の合成樹脂によって形成される。ロアカバー４は、皿状（トレイ状）の部材である。ロアカバー４は、選択多様性を確保するため、例えば、適用される車種等に応じてバリエーションを持たせて複数種類が用意され、その中から当該電気接続箱１が適用される車種等に応じて適宜選択され適用される。さらに言えば、ロアカバー４は、収容する回路配索部材３の形状や大きさ、回路配索部材３に接続される電子部品２の種類、数等に応じて、大きさを異ならせたり形状を異ならせたりすることで、バリエーションを持たせて複数種類が用意される。
【００２６】
ここでは、ロアカバー４は、選択されうるバリエーションとして、例えば、図１、図１４、図１５に例示した相対的に大きな大ロアカバー４Ａ、図１６、図１７に例示した中ロアカバー４Ｂ、図１８、図１９に例示した相対的に小さな小ロアカバー４Ｃ等が用意される。なお、以下の説明では、大ロアカバー４Ａ、中ロアカバー４Ｂ、小ロアカバー４Ｃを特に区別して説明する必要がない場合には、単にロアカバー４という。
【００２７】
ロアカバー４は、大ロアカバー４Ａ、中ロアカバー４Ｂ、小ロアカバー４Ｃ等の各種類に共通の構成として、略ロの字型に形成された壁体としての矩形枠状部４ａと、当該矩形枠状部４ａの一方の開口を閉塞する底部４ｂとを含み、これらが一体で形成される。底部４ｂは、第１幅方向、及び、第２幅方向に沿った略矩形板状に形成される底体である。矩形枠状部４ａは、底部４ｂの縁部に立設されるようにして形成される。ロアカバー４は、当該矩形枠状部４ａ、及び、底部４ｂによって一端が開口し他端が閉塞した矩形筒状に形成される。ロアカバー４は、矩形枠状部４ａ、底部４ｂが組み合わさって全体として、積層方向上側に開口を有する中空状の略直方体箱状に形成される。
【００２８】
そして、ロアカバー４は、各種類に共通の構成として、収容空間部４１、開口部４２、及び、係合部４３を有する。ロアカバー４は、中空状の内部、すなわち、矩形枠状部４ａ、底部４ｂによって区画された内部空間部が収容空間部４１として形成される。つまり、収容空間部４１は、矩形枠状部４ａ、底部４ｂによって略直方体状の空間部として形成され、回路配索部材３を収容する。ロアカバー４は、収容空間部４１に面して載置リブ４１ａが形成される。載置リブ４１ａは、底部４ｂ上において収容空間部４１側の面に複数形成される。各載置リブ４１ａは、柱状、あるいは、壁状の凸部として形成され積層方向に沿って延在する。回路配索部材３は、各載置リブ４１ａの積層方向上側の端面に載置されるような位置関係で収容空間部４１に収容される。開口部４２は、収容空間部４１とロアカバー４の外部（矩形枠状部４ａ、底部４ｂを隔てて収容空間部４１とは反対側の空間側）とを連通する部分である。ここでは、開口部４２は、矩形枠状部４ａの積層方向上側端部によって区画され積層方向上側に向けて開口する。開口部４２は、略矩形状の開口として形成される。開口部４２は、積層方向に沿って底部４ｂと対向する。係合部４３は、ロアカバー４とは異なる他の部材、車両ボデー側の種々の固定部位、ブラケット、他の電気接続箱等と係合しこれらと連結されるものである。係合部４３は、矩形枠状部４ａにおいて、ロアカバー４の外部側の面に複数設けられる。
【００２９】
なお、選択されうるロアカバー４は、上記の大ロアカバー４Ａ、中ロアカバー４Ｂ、小ロアカバー４Ｃに限られない。選択されうるロアカバー４は、収容空間部４１、開口部４２を有するものであればさらに他の種類を含んでいてもよく、例えば、略直方体箱状でないものを含んでいてもよい。
【００３０】
アッパカバー５は、ロアカバー４の積層方向上側に積層され相互に組み付けられ、ロアカバー４と共に回路配索部材３を収容する筐体を構成するものである。アッパカバー５とロアカバー４とは、組み合わさって全体として略直方体箱状の筐体を構成する。アッパカバー５は、少なくとも１つに電子部品２を搭載する搭載部５１が設けられた複数のパネル体５０を有し、隣接するパネル体５０同士が相互に連結された状態でロアカバー４の開口部４２を塞ぐ。各パネル体５０は、絶縁性の合成樹脂によって形成される。
【００３１】
複数のパネル体５０は、選択多様性を確保するため、例えば、適用される車種等に応じてバリエーションを持たせて複数種類が用意され、その中から当該電気接続箱１が適用される車種等に応じて適宜選択され適用される。さらに言えば、複数のパネル体５０は、回路配索部材３の形状や大きさ、搭載される電子部品２の種類、数等に応じて、大きさを異ならせたり搭載部５１の形状を異ならせたりすることで、バリエーションを持たせて複数種類が用意される。
【００３２】
複数のパネル体５０は、選択されうるバリエーションとして、アッパカバー５がロアカバー４の開口部４２を塞いだ状態で回路配索部材３に対する設置位置に応じて形状が異なるものを含む。ここでは、複数のパネル体５０は、選択されうるバリエーションとして、例えば、図２、図３、図４、図５、図６、図７、図８に例示した部品搭載用パネル体５２、図９、図１０、図１１に例示した閉塞用パネル体５３等が用意される。なお、以下の説明では、部品搭載用パネル体５２、閉塞用パネル体５３を特に区別して説明する必要がない場合には、単にパネル体５０という。
【００３３】
部品搭載用パネル体５２は、電子部品２を搭載する搭載部５１を有し搭載部５１によってロアカバー４の開口部４２の一部を塞ぐ。搭載部５１は、ヒューズ２１、コネクタ２２、ヒューズ端子２３、コネクタ端子２４等の電子部品２を搭載する。
【００３４】
一例としてここでは、部品搭載用パネル体５２は、選択されうるバリエーションとして、図２に示す部品搭載用パネル体５２Ａ、図３に示す部品搭載用パネル体５２Ｂ、図４に示す部品搭載用パネル体５２Ｃ、図５に示す部品搭載用パネル体５２Ｄ、図６に示す部品搭載用パネル体５２Ｅ、図７に示す部品搭載用パネル体５２Ｆ、及び、図８に示す部品搭載用パネル体５２Ｇが用意される。
【００３５】
図２に示す部品搭載用パネル体５２Ａ、図３に示す部品搭載用パネル体５２Ｂ、図４に示す部品搭載用パネル体５２Ｃ、図５に示す部品搭載用パネル体５２Ｄ、図６に示す部品搭載用パネル体５２Ｅは、搭載部５１として、主に電子部品２であるコネクタ２２（図２等参照）が搭載されるコネクタ搭載部５１Ａ、５１Ｂ、５１Ｃ、５１Ｄ、５１Ｅを有する。コネクタ搭載部５１Ａ、５１Ｂ、５１Ｃ、５１Ｄ、５１Ｅは、略ロの字型に形成されそれぞれに対応する形状のコネクタ２２が嵌合可能な壁体としてのフード部５１ａと、当該フード部５１ａの一方の開口を閉塞する底部５１ｂとを含み、これらが一体で形成される。底部５１ｂは、略矩形板状に形成される底体である。フード部５１ａは、底部５１ｂの縁部に立設されるようにして形成される。フード部５１ａと底部５１ｂとは、組み合わさって全体として、積層方向上側に開口を有する中空状の略直方体箱状に形成され、中空状の内部空間部が嵌合空間部５１ｃとして形成される。嵌合空間部５１ｃは、それぞれに対応する形状のコネクタ２２の外形形状に応じて当該コネクタ２２が嵌合可能な大きさ、形状の空間部として形成される。各コネクタ２２は、各フード部５１ａの嵌合空間部５１ｃに着脱可能に組み付けられる。コネクタ搭載部５１Ａ、５１Ｂ、５１Ｃ、５１Ｄ、５１Ｅは、底部５１ｂに多数の端子貫通孔が設けられており、当該端子貫通孔にコネクタ端子２４（図１等も参照）が保持される。各コネクタ端子２４は、導電性の金属により棒状に形成され、コネクタ２２と電気的に接続されるものであり、当該端子貫通孔を介してフード部５１ａの内部の底部５１ｂを積層方向上下に貫通する。各コネクタ２２は、各フード部５１ａの嵌合空間部５１ｃに嵌合されることでコネクタ端子２４と電気的に接続される。このようにして、多数のコネクタ２２は、各フード部５１ａを介してコネクタ搭載部５１Ａ、５１Ｂ、５１Ｃ、５１Ｄ、５１Ｅに搭載される。コネクタ端子２４は、積層方向上側端部にコネクタ２２が電気的に接続される一方、積層方向下側端部がはんだ等を介して回路配索部材３の回路を構成する配線に電気的に接続される。
【００３６】
ここでは、図２、図３、図４に示す部品搭載用パネル体５２Ａ、５２Ｂ、５２Ｃのコネクタ搭載部５１Ａ、５１Ｂ、５１Ｃは、１つのフード部５１ａを含んで構成され、積層方向に沿って視て（以下、「積層方向視」という場合がある。）外形が略矩形状に形成される。また、図５に示す部品搭載用パネル体５２Ｄのコネクタ搭載部５１Ｄは、１つのフード部５１ａを含んで構成されると共にフード部５１ａから積層方向と直交する方向に突出する板状部５１ｄを有し、積層方向視の外形が略矩形状に形成される。さらに、部品搭載用パネル体５２Ｄは、複数の脚部５４を有する。部品搭載用パネル体５２Ｄの複数の脚部５４は、積層方向視の外形が略矩形板状に形成されたコネクタ搭載部５１Ｄの２つの角部にそれぞれ１つずつ、合計２つが設けられる。各脚部５４は、部品搭載用パネル体５２Ｄが回路配索部材３上に自立して立てるようにコネクタ搭載部５１Ｄの板状部５１ｄとほぼ直交するように立設される。また、図６に示す部品搭載用パネル体５２Ｅのコネクタ搭載部５１Ｅは、２つのフード部５１ａを含んで構成されると共にフード部５１ａから積層方向と直交する方向に突出する板状部５１ｄを有し、積層方向視の外形が略矩形状に形成される。さらに、部品搭載用パネル体５２Ｅは、複数の脚部５４を有する。部品搭載用パネル体５２Ｅの複数の脚部５４は、積層方向視の外形が略矩形板状に形成されたコネクタ搭載部５１Ｅの各角部にそれぞれ１つずつ、合計４つが設けられる。各脚部５４は、部品搭載用パネル体５２Ｅが回路配索部材３上に自立して立てるようにコネクタ搭載部５１Ｅの板状部５１ｄとほぼ直交するように立設される。
【００３７】
図７に示す部品搭載用パネル体５２Ｆ、図８に示す部品搭載用パネル体５２Ｇは、搭載部５１として、主に電子部品２であるヒューズ２１が搭載されるヒューズ搭載部５１Ｆ、５１Ｇを有する。
【００３８】
ヒューズ搭載部５１Ｆは、略ロの字型に形成され対応する形状のヒューズ２１が嵌合可能な壁体としての嵌合凹部５１ｅと、当該嵌合凹部５１ｅの一方の開口を閉塞する底部５１ｆとを含み、これらが一体で形成される。底部５１ｆは、略矩形板状に形成される底体である。嵌合凹部５１ｅは、底部５１ｂの縁部に立設されるようにして形成される。嵌合凹部５１ｅと底部５１ｆとは、組み合わさって全体として、積層方向上側に開口を有する中空状の略直方体箱状に形成され、中空状の内部空間部が嵌合空間部５１ｇとして形成される。嵌合空間部５１ｇは、それぞれに対応する形状のヒューズ２１の外形形状に応じて当該ヒューズ２１が嵌合可能な大きさ、形状の空間部として形成される。各ヒューズ２１は、各嵌合凹部５１ｅの嵌合空間部５１ｇに着脱可能に組み付けられる。ヒューズ搭載部５１Ｆは、底部５１ｆに多数の端子貫通孔が設けられており、当該端子貫通孔にヒューズ端子２３（図１等も参照）が保持される。図７に示す部品搭載用パネル体５２Ｆのヒューズ搭載部５１Ｆは、２つの嵌合凹部５１ｅを含んで構成されると共に嵌合凹部５１ｅから積層方向と直交する方向に突出する板状部５１ｈを有し、積層方向視の外形が略矩形状に形成される。言い換えれば、ヒューズ搭載部５１Ｆは、略矩形板状に形成された板状部５１ｈの一角に２つの嵌合凹部５１ｅが設けられる。さらに、部品搭載用パネル体５２Ｆは、複数の脚部５５を有する。部品搭載用パネル体５２Ｆの複数の脚部５５は、積層方向視の外形が略矩形板状に形成されたヒューズ搭載部５１Ｆの各角部にそれぞれ１つずつ、合計４つが設けられる。各脚部５５は、部品搭載用パネル体５２Ｆが回路配索部材３上に自立して立てるようにヒューズ搭載部５１Ｆの板状部５１ｈとほぼ直交するように立設される。
【００３９】
ヒューズ搭載部５１Ｇは、略ロの字型に形成され対応する形状のヒューズブロック５６（図１も参照）が嵌合可能な壁体としての嵌合凹部５１ｉと、当該嵌合凹部５１ｉの一方の開口を閉塞する底部５１ｊとを含み、これらが一体で形成される。底部５１ｊは、略矩形板状に形成される底体である。嵌合凹部５１ｉは、底部５１ｊの縁部に立設されるようにして形成される。嵌合凹部５１ｉと底部５１ｊとは、組み合わさって全体として、積層方向上側に開口を有する中空状の略直方体箱状に形成され、中空状の内部空間部が嵌合空間部５１ｋとして形成される。嵌合空間部５１ｋは、対応する形状のヒューズブロック５６の外形形状に応じて当該ヒューズブロック５６が嵌合可能な大きさ、形状の空間部として形成される。ヒューズブロック５６は、絶縁性の合成樹脂によって形成され、嵌合凹部５１ｉの嵌合空間部５１ｋに着脱可能に組み付けられる。ヒューズブロック５６は、多数のキャビティが形成されており、当該キャビティにヒューズ２１とヒューズ端子２３（図１等も参照）とが保持される。ヒューズブロック５６は、それぞれのキャビティに対して積層方向上側からヒューズ２１が挿入、嵌合されると共に積層方向下側からヒューズ端子２３が挿入、嵌合されることで、ヒューズ２１とヒューズ端子２３とが電気的に接続される。ヒューズブロック５６は、嵌合凹部５１ｉの嵌合空間部５１ｋに嵌合した状態で、種々の係止機構を介して嵌合凹部５１ｉに係止される。ヒューズ搭載部５１Ｇは、このヒューズブロック５６を介して多数のヒューズ２１が搭載される。ヒューズ搭載部５１Ｇは、底部５１ｊに多数の端子貫通孔が設けられており、当該端子貫通孔にヒューズ端子２３が保持される。図８に示す部品搭載用パネル体５２Ｇのヒューズ搭載部５１Ｇは、１つの嵌合凹部５１ｉを含んで構成され、積層方向視の外形が略矩形状に形成される。
【００４０】
ヒューズ搭載部５１Ｆ、５１Ｇに保持される各ヒューズ端子２３は、導電性の金属により棒状に形成され、ヒューズ２１と電気的に接続されるものであり、端子貫通孔を介して嵌合凹部５１ｅ、５１ｉの内部の底部５１ｆ、５１ｊを積層方向上下に貫通する。各ヒューズ２１は、各嵌合凹部５１ｅ、５１ｊの嵌合空間部５１ｇ、５１ｋに嵌合されることでヒューズ端子２３と電気的に接続される。このようにして、各ヒューズ２１は、各嵌合凹部５１ｅ、５１ｊを介してヒューズ搭載部５１Ｆ、５１Ｇに搭載される。ヒューズ端子２３は、積層方向上側端部にヒューズ２１が電気的に接続される一方、積層方向下側端部がはんだ等を介して回路配索部材３の回路を構成する配線に電気的に接続される。
【００４１】
なお、選択されうる部品搭載用パネル体５２としては、搭載部５１に搭載する電子部品２の数、種類（ヒューズ２１、コネクタ２２等の他、リレー、コンデンサ、分岐部、電子制御ユニット、電子部品ユニット等）を異ならせたものがあってもよく、搭載する電子部品２の種類が混在しているものがあってもよい。
【００４２】
なお、以下の説明では、部品搭載用パネル体５２Ａ、部品搭載用パネル体５２Ｂ、部品搭載用パネル体５２Ｃ、部品搭載用パネル体５２Ｄ、部品搭載用パネル体５２Ｅ、部品搭載用パネル体５２Ｆ、部品搭載用パネル体５２Ｇを特に区別して説明する必要がない場合には、単に部品搭載用パネル体５２という。また、以下の説明では、コネクタ搭載部５１Ａ、コネクタ搭載部５１Ｂ、コネクタ搭載部５１Ｃ、コネクタ搭載部５１Ｄ、コネクタ搭載部５１Ｅ、ヒューズ搭載部５１Ｆ、ヒューズ搭載部５１Ｇを特に区別して説明する必要がない場合には、単に搭載部５１という。
【００４３】
閉塞用パネル体５３は、図９、図１０、図１１に示すように、平坦な板状に形成された閉塞面５７を有し閉塞面５７によってロアカバー４の開口部４２の一部を塞ぐ。ここで、平坦な板状に形成される閉塞面５７とは、典型的には、部品搭載用パネル体５２のような搭載部５１を有さない板状の面である。ここでは、閉塞面５７は、平坦な略矩形板状に形成され、積層方向と直交する方向に延在する。さらに、閉塞用パネル体５３は、閉塞面５７から立設された複数の脚部５８を有する。複数の脚部５８は、略矩形板状に形成された閉塞面５７の各角部にそれぞれ１つずつ、合計４つが設けられる。各脚部５８は、回路配索部材３上に自立して立てるように閉塞面５７とほぼ直交するように立設され、部品搭載用パネル体５２の脚部５４、５５等と同等の長さに形成される。一例としてここでは、閉塞用パネル体５３は、選択されうるバリエーションとして、図９に示す相対的に小さな閉塞用パネル体５３Ａ、図１０に示す閉塞用パネル体５３Ｂ、図１１に示す相対的に大きな閉塞用パネル体５３Ｃが用意される。なお、以下の説明では、閉塞用パネル体５３Ａ、閉塞用パネル体５３Ｂ、閉塞用パネル体５３Ｃを特に区別して説明する必要がない場合には、単に閉塞用パネル体５３という。
【００４４】
各パネル体５０は、上記のように構成された部品搭載用パネル体５２と閉塞用パネル体５３との双方において、搭載部５１、閉塞面５７、脚部５４、５５、５８等を含めた全体の積層方向の長さが相互にほぼ同等になるように形成される。
【００４５】
そして、アッパカバー５は、上記に一例を示したパネル体５０を組み合わせて蓋状に形成され、全体として矩形板状に構成され、各パネル体５０の搭載部５１、閉塞面５７が組み合わさってロアカバー４の開口部４２を塞ぐ。ここでは、電気接続箱１は、図２〜図１２に示すように、ロアカバー４の開口部４２を塞いだ状態で相互に隣接するパネル体５０を連結するパネル体側連結構造５９を備える。またさらに、電気接続箱１は、図１３に示すように、ロアカバー４とパネル体５０とを連結する収容部材側連結構造としてのロア側連結構造４４を備える。
【００４６】
具体的には、パネル体側連結構造５９は、各パネル体５０において、他のパネル体５０と隣接可能な各面にそれぞれ設けられ、当該他のパネル体５０のパネル体側連結構造５９と相互に係合して隣接するパネル体５０を相互に連結するものである。各パネル体５０において他のパネル体５０と隣接可能な各面とは、開口部４２を塞いだ状態で隣接するパネル体５０と相互に対向する面であり、ここでは、各搭載部５１、各閉塞面５７の積層方向に沿った面である。さらに言えば、複数のパネル体５０が組み合わさりアッパカバー５を構成しロアカバー４の開口部４２を塞いだ状態でパネル体５０の隣接方向（並ぶ方向）が積層方向と直交する方向となり、この状態で、各パネル体５０において他のパネル体５０と隣接可能な各面は、ロアカバー４の開口部４２が開口する方向に沿った面に相当する。パネル体側連結構造５９は、各パネル体５０において、積層方向視の外形が略矩形状に形成される搭載部５１、閉塞面５７の各辺に少なくとも１つずつ形成される。より具体的には、上述の例では、部品搭載用パネル体５２Ａ、５２Ｂ、５２Ｃ、５２Ｄ、５２Ｇは、他のパネル体５０と隣接可能な各面として、フード部５１ａ、嵌合凹部５１ｉの積層方向に沿った各端面にそれぞれ少なくとも１つのパネル体側連結構造５９を有する。また、部品搭載用パネル体５２Ｄ、５２Ｅ、５２Ｆ、閉塞用パネル体５３Ａ、５３Ｂ、５３Ｃは、他のパネル体５０と隣接可能な各面として、板状部５１ｄ、５１ｈ、閉塞面５７の積層方向に沿った各端面にそれぞれ少なくとも１つのパネル体側連結構造５９を有する。
【００４７】
各パネル体側連結構造５９は、典型的には、隣接するパネル体５０同士を積層方向に沿って相互に嵌合しかつ係止可能な結合形状となっている。この場合、本実施形態の各パネル体側連結構造５９は、隣接するパネル体５０を積層方向に沿って嵌合させる際の上下関係を逆転させた場合でも適正に相互に嵌合しかつ係止可能な形状となっている。またさらに、本実施形態の各パネル体側連結構造５９は、各パネル体５０の第１幅方向、及び、第２幅方向に対する向きに関係なく自由に隣接するパネル体５０を連結可能な形状となっている。
【００４８】
一例として、パネル体側連結構造５９は、例えば、図１１、図１２に示すように、第１嵌合凸部５９ａ、第１嵌合凹部５９ｂ、第２嵌合凸部５９ｃ、第２嵌合凹部５９ｄ、係止突起部５９ｄａ、第３嵌合凸部５９ｅ、及び、第３嵌合凹部５９ｆを含んで構成される。第１嵌合凸部５９ａ、第１嵌合凹部５９ｂ、第２嵌合凸部５９ｃ、第２嵌合凹部５９ｄ、係止突起部５９ｄａ、第３嵌合凸部５９ｅ、及び、第３嵌合凹部５９ｆは、それぞれ１つずつを１組として１つのパネル体側連結構造５９を構成する。パネル体側連結構造５９は、当該パネル体側連結構造５９が設けられるパネル体５０の各端面において、当該端面に向かって積層方向と直交する方向（第１幅方向、あるいは、第２幅方向）に沿って左側から右側に向けて、第１嵌合凸部５９ａ、第１嵌合凹部５９ｂ、第２嵌合凸部５９ｃ、第２嵌合凹部５９ｄ、第３嵌合凸部５９ｅ、第３嵌合凹部５９ｆの順で並んで設けられる。第１嵌合凸部５９ａ、第２嵌合凸部５９ｃ、第３嵌合凸部５９ｅは、当該パネル体側連結構造５９が設けられる各端面において積層方向と直交する方向に突出して凸状に形成される一方、第１嵌合凹部５９ｂ、第２嵌合凹部５９ｄ、第３嵌合凹部５９ｆは、当該各端面において積層方向と直交する方向に窪んで凹状に形成される。第１嵌合凹部５９ｂは、第１嵌合凸部５９ａと第２嵌合凸部５９ｃとの間に形成される凹状の部分であり、第２嵌合凹部５９ｄは、第２嵌合凸部５９ｃと第３嵌合凸部５９ｅとの間に形成される凹状の部分であり、第３嵌合凹部５９ｆは、第３嵌合凸部５９ｅに隣接して形成される凹状の部分である。つまり、パネル体側連結構造５９は、第１嵌合凸部５９ａ、第１嵌合凹部５９ｂ、第２嵌合凸部５９ｃ、第２嵌合凹部５９ｄ、第３嵌合凸部５９ｅ、及び、第３嵌合凹部５９ｆが順に設けられることによって凹凸が交互に並んだ形状となっている。
【００４９】
第１嵌合凸部５９ａ、第１嵌合凹部５９ｂ、第２嵌合凹部５９ｄ、第３嵌合凸部５９ｅ、第３嵌合凹部５９ｆは、パネル体側連結構造５９が設けられるパネル体５０の各端面の積層方向上側の端部から下側に向けて積層方向に沿って延在する。第１嵌合凸部５９ａ、第１嵌合凹部５９ｂ、第２嵌合凹部５９ｄ、第３嵌合凸部５９ｅ、第３嵌合凹部５９ｆは、積層方向に対して板状部５１ｄ、５１ｈの積層方向に沿った厚み分に相当する長さで形成される。なお、第１嵌合凸部５９ａは、パネル体５０の各端面の端部以外に位置するもの（図１１に例示する第１嵌合凸部５９ａａ）については、積層方向下側の一部に切り欠きが形成されているが必ずしも当該切り欠きが形成されていなくてもよい。第２嵌合凸部５９ｃは、積層方向と直交する方向（第１幅方向、あるいは、第２幅方向）に沿って延在する幅方向延在部５９ｃａと、積層方向に沿って延在する積層方向延在部５９ｃｂとを含んで構成される。幅方向延在部５９ｃａは、第１嵌合凹部５９ｂと第２嵌合凹部５９ｄとの間に積層方向と直交する方向に沿って形成される棒状の部分である。積層方向延在部５９ｃｂは、幅方向延在部５９ｃａの第１嵌合凹部５９ｂ側の端部から積層方向に沿って形成される。積層方向延在部５９ｃｂは、パネル体５０の各端面の積層方向上側の端部から下側に向けて積層方向に沿って延在する。積層方向延在部５９ｃｂは、第１嵌合凸部５９ａ、第１嵌合凹部５９ｂ、第２嵌合凹部５９ｄ、第３嵌合凸部５９ｅ、第３嵌合凹部５９ｆと同様に、積層方向に対して板状部５１ｄ、５１ｈの積層方向に沿った厚み分に相当する長さで形成される。そして、第１嵌合凸部５９ａと第３嵌合凹部５９ｆは、積層方向に沿って第１嵌合凸部５９ａが第３嵌合凹部５９ｆに嵌合可能な形状、大きさに形成される。第１嵌合凹部５９ｂと第３嵌合凸部５９ｅとは、積層方向に沿って第３嵌合凸部５９ｅが第１嵌合凹部５９ｂに嵌合可能な形状、大きさに形成される。第２嵌合凸部５９ｃと第２嵌合凹部５９ｄとは、積層方向に沿って第２嵌合凸部５９ｃが第２嵌合凹部５９ｄに嵌合可能な形状、大きさに形成される。
【００５０】
係止突起部５９ｄａは、第２嵌合凹部５９ｄ内に突起爪状に形成される。係止突起部５９ｄａは、第２嵌合凸部５９ｃと第２嵌合凹部５９ｄとが嵌合した状態で、第２嵌合凸部５９ｃの幅方向延在部５９ｃａを軸方向に対して係止可能な位置、形状に形成される。この場合、例えば、隣接するパネル体５０のパネル体側連結構造５９同士を積層方向に沿って嵌合させる際には、一方のパネル体５０の係止突起部５９ｄａは、他方のパネル体５０の幅方向延在部５９ｃａの近傍を撓ませながら幅方向延在部５９ｃａの下側に乗り換えることで当該幅方向延在部５９ｃａの下側で当接してこれを係止し当該他方の幅方向延在部５９ｃａの積層方向下側への移動を規制する。またこのとき、他方のパネル体５０の係止突起部５９ｄａは、一方のパネル体５０の幅方向延在部５９ｃａの下側で当接してこれを係止し当該一方の幅方向延在部５９ｃａの積層方向下側への移動を規制する。すなわち、隣接するパネル体５０は、互いの幅方向延在部５９ｃａと係止突起部５９ｄａとが積層方向に対して相互に係止されることで、積層方向に沿って互いに離間する方向への相対移動が規制され、これにより、互いに係合して連結された状態となる。
【００５１】
隣接するパネル体５０は、上記のように構成される各パネル体側連結構造５９において積層方向に沿って、一方の第１嵌合凸部５９ａが他方の第３嵌合凹部５９ｆに嵌合し、一方の第３嵌合凸部５９ｅが他方の第１嵌合凹部５９ｂに嵌合し、一方の第２嵌合凸部５９ｃが他方の第２嵌合凹部５９ｄに嵌合すると共に、一方の幅方向延在部５９ｃａと係止突起部５９ｄａと他方の幅方向延在部５９ｃａと係止突起部５９ｄａとがそれぞれ積層方向に対して相互に係止されることで、第１嵌合凸部５９ａ、第２嵌合凸部５９ｃ、第３嵌合凸部５９ｅと第１嵌合凹部５９ｂ、第２嵌合凹部５９ｄ、第３嵌合凹部５９ｆとが交互に噛み合って係合、連結される。この場合、各パネル体側連結構造５９は、上記のように構成されることで、隣接するパネル体５０を積層方向に沿って嵌合させる際の上下関係を逆転させた場合でも適正に相互に嵌合しかつ係止することができ、また、各パネル体５０の第１幅方向、及び、第２幅方向に対する向きに関係なく自由に隣接するパネル体５０を連結することができる。これにより、電気接続箱１は、アッパカバー５を構成するパネル体５０の組み合わせやレイアウトの自由度を確保することができる。そして、当該パネル体側連結構造５９を介して連結された複数のパネル体５０は、一体となって１つのアッパカバー５を構成する。パネル体側連結構造５９を介して複数のパネル体５０が組み合わせられたアッパカバー５は、ロアカバー４の積層方向上側に積層され、図１３に示すロア側連結構造４４を介してロアカバー４に連結され開口部４２を塞ぐ。言い換えれば、複数のパネル体５０は、ロアカバー４の開口部４２を塞ぐ位置に相互に隣接して設けられた状態で、パネル体側連結構造５９を介して相互に連結されてアッパカバー５を構成すると共に、ロア側連結構造４４を介してロアカバー４に連結される。
【００５２】
ロア側連結構造４４は、図１、図１３等に示すように、ロアカバー４において、開口部４２を形成する矩形枠状部４ａの内壁面、すなわち、収容空間部４１側の壁面に複数設けられ、パネル体側連結構造５９と相互に係合して、パネル体５０によって構成されるアッパカバー５とロアカバー４とを連結するものである。ここでは、パネル体５０によって構成されるアッパカバー５は、開口部４２を形成する矩形枠状部４ａの内壁面側に嵌合して開口部４２を塞ぐ。つまり、開口部４２を形成する矩形枠状部４ａの内壁面は、パネル体５０によって構成されるアッパカバー５が開口部４２を塞いだ状態で、パネル体側連結構造５９が設けられるパネル体５０の端面と対向する面である。ロア側連結構造４４は、パネル体５０によって構成されるアッパカバー５が開口部４２を塞いだ状態で、矩形枠状部４ａの内壁面において、パネル体側連結構造５９と対向する位置に形成される。ロア側連結構造４４は、典型的には、パネル体５０のパネル体側連結構造５９と積層方向に沿って相互に嵌合しかつ係止可能な結合形状となっている。ここでは、ロア側連結構造４４は、係止突起部５９ｄａを有さない点を除いて、パネル体側連結構造５９とほぼ同等の形状に形成される。
【００５３】
一例として、ロア側連結構造４４は、例えば、図１３に示すように、第１嵌合凸部４４ａ、第１嵌合凹部４４ｂ、第２嵌合凸部４４ｃ、第２嵌合凹部４４ｄ、第３嵌合凸部４４ｅ、及び、第３嵌合凹部４４ｆを含んで構成される。第１嵌合凸部４４ａ、第１嵌合凹部４４ｂ、第２嵌合凸部４４ｃ、第２嵌合凹部４４ｄ、第３嵌合凸部４４ｅ、及び、第３嵌合凹部４４ｆは、それぞれ１つずつを１組として１つのロア側連結構造４４を構成する。ロア側連結構造４４は、当該ロア側連結構造４４が設けられる矩形枠状部４ａの内壁面において、当該内壁面に向かって積層方向と直交する方向（第１幅方向、あるいは、第２幅方向）に沿って左側から右側に向けて、第１嵌合凸部４４ａ、第１嵌合凹部４４ｂ、第２嵌合凸部４４ｃ、第２嵌合凹部４４ｄ、第３嵌合凸部４４ｅ、第３嵌合凹部４４ｆの順で並んで設けられる。第１嵌合凸部４４ａ、第２嵌合凸部４４ｃ、第３嵌合凸部４４ｅは、当該ロア側連結構造４４が設けられる矩形枠状部４ａの内壁面において積層方向と直交する方向に突出して凸状に形成される一方、第１嵌合凹部４４ｂ、第２嵌合凹部４４ｄ、第３嵌合凹部４４ｆは、当該内壁面において積層方向と直交する方向に窪んで凹状に形成される。第１嵌合凹部４４ｂは、第１嵌合凸部４４ａと第２嵌合凸部４４ｃとの間に形成される凹状の部分であり、第２嵌合凹部４４ｄは、第２嵌合凸部４４ｃと第３嵌合凸部４４ｅとの間に形成される凹状の部分であり、第３嵌合凹部４４ｆは、第３嵌合凸部４４ｅに隣接して形成される凹状の部分である。つまり、ロア側連結構造４４は、第１嵌合凸部４４ａ、第１嵌合凹部４４ｂ、第２嵌合凸部４４ｃ、第２嵌合凹部４４ｄ、第３嵌合凸部４４ｅ、及び、第３嵌合凹部４４ｆが順に設けられることによって凹凸が交互に並んだ形状となっている。
【００５４】
第１嵌合凸部４４ａ、第１嵌合凹部４４ｂ、第２嵌合凹部４４ｄ、第３嵌合凸部４４ｅ、第３嵌合凹部４４ｆは、ロア側連結構造４４が設けられる矩形枠状部４ａの内壁面の積層方向上側の端部から下側の端部まで積層方向に沿って延在する。第２嵌合凸部４４ｃは、積層方向と直交する方向（第１幅方向、あるいは、第２幅方向）に沿って延在する幅方向延在部４４ｃａと、積層方向に沿って延在する積層方向延在部４４ｃｂとを含んで構成される。幅方向延在部４４ｃａは、第１嵌合凹部４４ｂと第２嵌合凹部４４ｄとの間に積層方向と直交する方向に沿って形成される棒状の部分である。この幅方向延在部４４ｃａは、パネル体側連結構造５９の係止突起部５９ｄａが積層方向に対して係止される部分である。積層方向延在部４４ｃｂは、幅方向延在部４４ｃａの第１嵌合凹部４４ｂ側の端部から積層方向に沿って形成される。積層方向延在部４４ｃｂは、ロア側連結構造４４が設けられる矩形枠状部４ａの内壁面の積層方向上側の端部から下側の端部まで積層方向に沿って延在する。第１嵌合凸部４４ａは、積層方向に沿ってパネル体側連結構造５９の第３嵌合凹部５９ｆに嵌合可能な形状、大きさに形成される。第１嵌合凹部４４ｂは、積層方向に沿ってパネル体側連結構造５９の第３嵌合凸部５９ｅが嵌合可能な形状、大きさに形成される。第２嵌合凸部４４ｃは、積層方向に沿ってパネル体側連結構造５９の第２嵌合凹部５９ｄに嵌合可能な形状、大きさに形成される。第２嵌合凹部４４ｄは、積層方向に沿ってパネル体側連結構造５９の第２嵌合凸部５９ｃが嵌合可能な形状、大きさに形成される。第３嵌合凸部４４ｅは、積層方向に沿ってパネル体側連結構造５９の第１嵌合凹部５９ｂに嵌合可能な形状、大きさに形成される。第３嵌合凹部４４ｆは、積層方向に沿ってパネル体側連結構造５９の第１嵌合凸部５９ａが嵌合可能な形状、大きさに形成される。上記のように構成されるロア側連結構造４４は、矩形枠状部４ａの４つの内壁面に積層方向と直交する方向に沿って収容空間部４１の周囲を囲うように並んで複数設けられる。
【００５５】
パネル体５０によって構成されるアッパカバー５は、ロアカバー４の積層方向上側から積層方向に沿って第１嵌合凸部５９ａと第３嵌合凹部４４ｆとが嵌合し、第１嵌合凹部５９ｂと第３嵌合凸部４４ｅとが嵌合し、第２嵌合凸部５９ｃと第２嵌合凹部４４ｄとが嵌合し、第２嵌合凹部５９ｄと第２嵌合凸部４４ｃとが嵌合し、第３嵌合凸部５９ｅと第１嵌合凹部４４ｂとが嵌合し、第３嵌合凹部５９ｆと第１嵌合凸部４４ａとが嵌合すると共に幅方向延在部４４ｃａと係止突起部５９ｄａとが積層方向に対して相互に係止される。これにより、アッパカバー５とロアカバー４とは、各パネル体５０のパネル体側連結構造５９を構成する第１嵌合凸部５９ａ、第１嵌合凹部５９ｂ、第２嵌合凸部５９ｃ、第２嵌合凹部５９ｄ、第３嵌合凸部５９ｅ、第３嵌合凹部５９ｆと、各ロア側連結構造４４を構成する第１嵌合凸部４４ａ、第１嵌合凹部４４ｂ、第２嵌合凸部４４ｃ、第２嵌合凹部４４ｄ、第３嵌合凸部４４ｅ、第３嵌合凹部４４ｆとが交互に噛み合って係合、連結される。この結果、パネル体側連結構造５９を介して複数のパネル体５０が組み合わせられたアッパカバー５は、ロアカバー４の積層方向上側に積層され、ロア側連結構造４４を介してロアカバー４に連結され開口部４２を塞ぐように、当該ロアカバー４に組み付けられる。
【００５６】
ここで、ロアカバー４、及び、アッパカバー５を構成する各パネル体５０は、予め設定された基準寸法に基づいて標準化された上でバリエーションが設定される。つまり、ロアカバー４、及び、アッパカバー５を構成する各パネル体５０は、各種類において、予め設定された基準寸法に基づいた寸法で形成される。
【００５７】
ここで、基準寸法は、予め任意に設定されればよいが、本実施形態では、上述したパネル体側連結構造５９の寸法に基づいて予め設定される。上述したように、１つのパネル体側連結構造５９は、積層方向と直交する方向に沿って並んで設けられた第１嵌合凸部５９ａ、第１嵌合凹部５９ｂ、第２嵌合凸部５９ｃ、第２嵌合凹部５９ｄ、第３嵌合凸部５９ｅ、及び、第３嵌合凹部５９ｆをそれぞれ１つずつ含んで構成されるものである。ここでは、基準寸法は、第１嵌合凸部５９ａ、第１嵌合凹部５９ｂ、第２嵌合凸部５９ｃ、第２嵌合凹部５９ｄ、第３嵌合凸部５９ｅ、及び、第３嵌合凹部５９ｆの並び方向（以下、単に「並び方向」という場合がある。）に沿った１つ分のパネル体側連結構造５９の寸法（長さ）とする。言い換えれば、基準寸法は、１つ分のパネル体側連結構造５９が形成されたパネル体５０の端面の上記並び方向に沿った寸法（長さ）に相当する。なお、上記並び方向は、積層方向と直交する方向でかつパネル体側連結構造５９が形成されたパネル体５０の端面に沿った方向（第１幅方向、あるいは、第２幅方向）に相当する。また、ロアカバー４側の１つ分のロア側連結構造４４の上記並び方向に沿った寸法は、１つ分のパネル体側連結構造５９の上記並び方向に沿った寸法とほぼ同等である。
【００５８】
ロアカバー４は、開口部４２の内法寸法がこの基準寸法に基づいて設定される。より具体的には、ロアカバー４は、開口部４２を形成する矩形枠状部４ａの内壁面の積層方向と直交する方向（第１幅方向、あるいは、第２幅方向）の長さが基準寸法の整数倍の長さに形成される。ここでは、図１、図１４、図１５に例示した大ロアカバー４Ａは、矩形枠状部４ａの内壁面の第１幅方向に沿った長さ（開口部４２の第１幅方向に沿った内法寸法）が基準寸法の６倍の長さに形成され、矩形枠状部４ａの内壁面の第２幅方向に沿った長さ（開口部４２の第２幅方向に沿った内法寸法）が基準寸法の５倍の長さに形成される。そして、大ロアカバー４Ａは、第１幅方向に沿った矩形枠状部４ａの各内壁面に６つのロア側連結構造４４が並んで位置し、第２幅方向に沿った矩形枠状部４ａの各内壁面に５つのロア側連結構造４４が並んで位置する。また、図１６、図１７に例示した中ロアカバー４Ｂは、矩形枠状部４ａの内壁面の第１幅方向に沿った長さが基準寸法の６倍の長さに形成され、矩形枠状部４ａの内壁面の第２幅方向に沿った長さが基準寸法の３倍の長さに形成される。そして、中ロアカバー４Ｂは、第１幅方向に沿った矩形枠状部４ａの各内壁面に６つのロア側連結構造４４が並んで位置し、第２幅方向に沿った矩形枠状部４ａの各内壁面に３つのロア側連結構造４４が並んで位置する。さらに、図１８、図１９に例示した小ロアカバー４Ｃは、矩形枠状部４ａの内壁面の第１幅方向に沿った長さが基準寸法の４倍の長さに形成され、矩形枠状部４ａの内壁面の第２幅方向に沿った長さが基準寸法の３倍の長さに形成される。そして、小ロアカバー４Ｃは、第１幅方向に沿った矩形枠状部４ａの各内壁面に４つのロア側連結構造４４が並んで位置し、第２幅方向に沿った矩形枠状部４ａの各内壁面に３つのロア側連結構造４４が並んで位置する。
【００５９】
パネル体５０は、他のパネル体５０と隣接可能な各辺の長さであって積層方向と直交する方向（第１幅方向、あるいは、第２幅方向）に沿った長さがこの基準寸法に基づいて設定される。より具体的には、パネル体５０は、他のパネル体５０と隣接可能な各辺の長さであって積層方向と直交する方向（第１幅方向、あるいは、第２幅方向）に沿った長さ、すなわち、積層方向視の外形の各辺の長さが基準寸法の整数倍の長さに形成される。
【００６０】
ここでは、図２、図３、図６、図７、図８に例示した部品搭載用パネル体５２Ａ、５２Ｂ、５２Ｅ、５２Ｆ、５２Ｇは、コネクタ搭載部５１Ａ、５１Ｂ、５１Ｅ、ヒューズ搭載部５１Ｆ、５１Ｇの積層方向視の外形が略長方形状に形成される。部品搭載用パネル体５２Ａ、５２Ｂ、５２Ｅ、５２Ｆ、５２Ｇは、積層方向視の外形の短辺の長さが基準寸法の１倍の長さに形成され、長辺の長さが基準寸法の２倍の長さに形成される。そして、部品搭載用パネル体５２Ａ、５２Ｂ、５２Ｅ、５２Ｆ、５２Ｇは、コネクタ搭載部５１Ａ、５１Ｂ、５１Ｅ、ヒューズ搭載部５１Ｆ、５１Ｇの短辺側の各端面にそれぞれ１つずつのパネル体側連結構造５９が位置し、長辺側の各端面にそれぞれ２つずつのパネル体側連結構造５９が並んで位置する。図４、図５に例示した部品搭載用パネル体５２Ｃ、５２Ｄは、コネクタ搭載部５１Ｃ、５１Ｄの積層方向視の外形が略長方形状に形成される。部品搭載用パネル体５２Ｃ、５２Ｄは、積層方向視の外形の短辺の長さが基準寸法の１倍の長さに形成され、長辺の長さが基準寸法の３倍の長さに形成される。そして、部品搭載用パネル体５２Ｃ、５２Ｄは、コネクタ搭載部５１Ｃ、５１Ｄの短辺側の各端面にそれぞれ１つずつのパネル体側連結構造５９が位置し、長辺側の各端面にそれぞれ３つずつのパネル体側連結構造５９が並んで位置する。
【００６１】
図９に例示した閉塞用パネル体５３Ａは、閉塞面５７が略正方形板状に形成され、閉塞面５７の積層方向視の外形が略正方形状に形成される。閉塞用パネル体５３Ａは、積層方向視の外形の各辺の長さがそれぞれ基準寸法の１倍の長さに形成される。そして、閉塞用パネル体５３Ａは、閉塞面５７の各端面にそれぞれ１つずつのパネル体側連結構造５９が位置する。図１０に例示した閉塞用パネル体５３Ｂは、閉塞面５７が略長方形板状に形成され、閉塞面５７の積層方向視の外形が略長方形状に形成される。閉塞用パネル体５３Ｂは、積層方向視の外形の短辺の長さが基準寸法の１倍の長さに形成され、長辺の長さが基準寸法の２倍の長さに形成される。そして、閉塞用パネル体５３Ｂは、閉塞面５７の短辺側の各端面にそれぞれ１つずつのパネル体側連結構造５９が位置し、長辺側の各端面にそれぞれ２つずつのパネル体側連結構造５９が並んで位置する。図１１に例示した閉塞用パネル体５３Ｃは、閉塞面５７が略長方形板状に形成され、閉塞面５７の積層方向視の外形が略長方形状に形成される。閉塞用パネル体５３Ｃは、積層方向視の外形の短辺の長さが基準寸法の１倍の長さに形成され、長辺の長さが基準寸法の３倍の長さに形成される。そして、閉塞用パネル体５３Ｃは、閉塞面５７の短辺側の各端面にそれぞれ１つずつのパネル体側連結構造５９が位置し、長辺側の各端面にそれぞれ３つずつのパネル体側連結構造５９が並んで位置する。
【００６２】
上記のように構成される電気接続箱１は、適用される車種等に応じてバリエーションを持たせて複数種類が用意されたロアカバー４の中から、適用される車種等に応じて要求される回路構成、ボリューム等に基づいて、最適な容量のロアカバー４が選定される。そして、電気接続箱１は、パネル体５０のうちの部品搭載用パネル体５２に積層方向上側からヒューズ端子２３、コネクタ端子２４等が組み付けられる。そして、電気接続箱１は、回路配索部材３の実装面側に複数のパネル体５０が個別に組み付けられこれらが組み合わせられて蓋状のアッパカバー５が形成され、あるいは、複数のパネル体５０を組み合わせて蓋状に形成されたアッパカバー５の全体又は一部が回路配索部材３の実装面側（積層方向上側）に組み付けられる。この場合、パネル体５０は、適用される車種等に応じてバリエーションを持たせて複数種類が用意された中から回路配索部材３のパターン等に基づいて回路配索部材３に対する設置位置に応じて最適なものが選定される。パネル体５０は、回路配索部材３の積層方向上側に電子部品２の搭載を要する位置には、当該設置位置のパネル体５０として、搭載が必要な電子部品２に応じた部品搭載用パネル体５２が選定され、電子部品２が必要でない位置には必要な大きさの閉塞用パネル体５３が選定される。選定された部品搭載用パネル体５２は、上述のように、端子貫通孔にヒューズ端子２３、コネクタ端子２４等を挿入し組み付けた後、脚部５４、５５があるものに関しては脚部５４、５５が回路配索部材３上に載置されるような位置関係で当該回路配索部材３に組み付けられる。選定された閉塞用パネル体５３は、脚部５８が回路配索部材３上に載置されるような位置関係で当該回路配索部材３に組み付けられる。このとき、電気接続箱１は、上述のように、回路配索部材３の実装面側に複数のパネル体５０が個別に組み付けられこれらが組み合わせられて蓋状のアッパカバー５が形成されてもよいし、複数のパネル体５０を組み合わせて蓋状に形成されたアッパカバー５の全体又は一部が回路配索部材３の実装面側に組み付けられてもよい。またこのとき、隣接する各パネル体５０は、積層方向に沿ってパネル体側連結構造５９同士を相互に嵌合させるようにして設けられる。その後、電気接続箱１は、部品搭載用パネル体５２に組み付けられたヒューズ端子２３、コネクタ端子２４が回路配索部材３の実装面に対してはんだ付け等によって実装される。このようにして、選定された各パネル体５０は、回路配索部材３上に組み付けられ、隣接するもの同士がパネル体側連結構造５９を介して組み合わせられた状態で１つのアッパカバー５を構成する。そして、電気接続箱１は、回路配索部材３の積層方向上側（実装面側）に複数のパネル体５０によって構成されたアッパカバー５が位置するような位置関係で、当該回路配索部材３がロアカバー４の各載置リブ４１ａ上に載置され収容空間部４１内に収容される。電気接続箱１は、アッパカバー５が矩形枠状部４ａの内壁面側に嵌合し各パネル体５０の搭載部５１、閉塞面５７が組み合わさって開口部４２の全体を塞いだ状態で、パネル体側連結構造５９、及び、ロア側連結構造４４を介して当該アッパカバー５を構成する各パネル体５０がロアカバー４に組み付けられる。そして、電気接続箱１は、各部品搭載用パネル体５２の搭載部５１にヒューズ２１、コネクタ２２等が組み付けられる。なお、電気接続箱１は、回路配索部材３にヒューズ端子２３、コネクタ端子２４、リレー３１、リレー抵抗３２等がはんだ付け等によって実装された後に、当該実装面側（積層方向上側）に複数のパネル体５０を組み合わせて蓋状に形成されたアッパカバー５が組み付けられてもよい。この場合、選定された部品搭載用パネル体５２は、端子貫通孔にヒューズ端子２３、コネクタ端子２４等を挿入させながら、脚部５４、５５があるものに関しては脚部５４、５５が回路配索部材３上に載置されるような位置関係で当該回路配索部材３に組み付けられればよい。
【００６３】
図１に例示した電気接続箱１は、大ロアカバー４Ａを使用し、１つの部品搭載用パネル体５２Ａ、１つの部品搭載用パネル体５２Ｂ、１つの部品搭載用パネル体５２Ｃ、１つの部品搭載用パネル体５２Ｄ、１つの部品搭載用パネル体５２Ｅ、２つの部品搭載用パネル体５２Ｆ、３つの部品搭載用パネル体５２Ｇ、１つの閉塞用パネル体５３Ｂ、２つの閉塞用パネル体５３Ｃの合計１３個のパネル体５０を組み合わせて構成されたアッパカバー５によって、当該大ロアカバー４Ａの開口部４２が塞がれるものである。この図１に示す電気接続箱１は、１つの部品搭載用パネル体５２Ｅ、２つの部品搭載用パネル体５２Ｆ、及び、２つの閉塞用パネル体５３Ｃのうちの１つが中央部パネル体６０を構成する。中央部パネル体６０は、大ロアカバー４Ａにおいて開口部４２を形成する矩形枠状部４ａの内壁面から離間して位置し、他のパネル体５０と隣接可能な各辺にそれぞれ他のパネル体５０が隣接するパネル体５０である。つまり、これら中央部パネル体６０を構成する部品搭載用パネル体５２Ｅ、部品搭載用パネル体５２Ｆ、及び、閉塞用パネル体５３Ｃは、大ロアカバー４Ａには直接的には連結されておらず、他のパネル体５０を介して間接的に大ロアカバー４Ａに連結されるパネル体５０である。
【００６４】
図１４、図１５は、選定されるパネル体５０の組み合わせが電気接続箱１とは異なった他のバリエーションの電気接続箱１Ａを示している。図１４、図１５に例示した電気接続箱１Ａは、電気接続箱１と共通の大ロアカバー４Ａを使用する一方、アッパカバー５を構成するパネル体５０の組み合わせが図１に示した電気接続箱１とは異なるものである。電気接続箱１Ａは、大ロアカバー４Ａを使用し、１つの部品搭載用パネル体５２Ａ、１つの部品搭載用パネル体５２Ｂ、１つの部品搭載用パネル体５２Ｃ、１つの部品搭載用パネル体５２Ｄ、１つの部品搭載用パネル体５２Ｅ、２つの部品搭載用パネル体５２Ｆ、３つの部品搭載用パネル体５２Ｇ、１つの閉塞用パネル体５３Ａ、２つの閉塞用パネル体５３Ｂ、１つの閉塞用パネル体５３Ｃの合計１４個のパネル体５０を組み合わせて構成されたアッパカバー５によって、当該大ロアカバー４Ａの開口部４２が塞がれるものである。この電気接続箱１Ａは、１つの部品搭載用パネル体５２Ｅ、２つの部品搭載用パネル体５２Ｆ、１つの閉塞用パネル体５３Ａ、１つの閉塞用パネル体５３Ｂが中央部パネル体６０を構成する。
【００６５】
なお、図１に例示した電気接続箱１、及び、図１４、図１５に例示した電気接続箱１Ａに使用される大ロアカバー４Ａは、図１５に示すように、さらにＥＣＵ設置空間部４５Ａを備えていてもよい。ＥＣＵ設置空間部４５Ａは、大ロアカバー４Ａの積層方向下側の面、すなわち、開口部４２が形成されアッパカバー５が組み付けられる側とは反対側の面に凹部状の空間部として形成される。そして、この電気接続箱１、１Ａは、さらに、ＥＣＵ設置空間部４５Ａに突出して露出したＥＣＵコネクタ部６を備えている。ＥＣＵコネクタ部６は、図１に示すように、ハウジング６１と、当該ハウジング６１に保持され回路配索部材３と電気的に接続されるＥＣＵコネクタ端子６２とを含んで構成される。ハウジング６１は、大ロアカバー４Ａの積層方向下側の面に形成された開口部を介してＥＣＵ設置空間部４５Ａ側に突出すると共にＥＣＵコネクタ端子６２を保持する。ＥＣＵコネクタ端子６２は、回路配索部材３の積層方向下側の面（ヒューズ端子２３、コネクタ端子２４等が実装される面とは反対側の面）に立設される。ＥＣＵコネクタ端子６２は、積層方向上側端部がはんだ等を介して回路配索部材３の回路を構成する配線に電気的に接続される。そして、電気接続箱１、１Ａは、ＥＣＵ設置空間部４５ＡにいわゆるＥＣＵ１００Ａが嵌合されると共に、当該ＥＣＵ１００ＡがＥＣＵコネクタ部６を介して回路配索部材３に電気的に接続される。これにより、電気接続箱１、１Ａは、大ロアカバー４Ａにおいてアッパカバー５とは反対側のスペースを有効に利用してＥＣＵ１００Ａのプラグイン／ビルトイン構造に対応することができる。
【００６６】
図１６、図１７は、選定されるロアカバー４、及び、パネル体５０の組み合わせが電気接続箱１とは異なった他のバリエーションの電気接続箱１Ｂを示している。図１６、図１７に例示した電気接続箱１Ｂは、電気接続箱１とは異なり中ロアカバー４Ｂを使用し、２つの部品搭載用パネル体５２Ｇ、１つの部品搭載用パネル体５２Ｅ、１つの部品搭載用パネル体５２Ｈ、１つの部品搭載用パネル体５２Ｉ、１つの部品搭載用パネル体５２Ｊ、１つの部品搭載用パネル体５２Ｋの合計７個のパネル体５０を組み合わせて構成されたアッパカバー５によって、当該中ロアカバー４Ｂの開口部４２が塞がれるものである。ここでは、アッパカバー５を構成するパネル体５０は、図２〜図８では例示していない部品搭載用パネル体５２Ｈ、５２Ｉ、５２Ｊ、５２Ｋも含まれている。
【００６７】
なお、図１６、図１７に例示した電気接続箱１Ｂに使用される中ロアカバー４Ｂも、大ロアカバー４Ａと同様に、図１７に示すように、さらにＥＣＵ設置空間部４５Ｂを備えていてもよい。ＥＣＵ設置空間部４５Ｂは、中ロアカバー４Ｂの積層方向下側の面、すなわち、開口部４２が形成されアッパカバー５が組み付けられる側とは反対側の面に凹部状の空間部として形成される。そして、この電気接続箱１Ｂは、さらに、ＥＣＵ設置空間部４５Ｂに突出して露出したＥＣＵコネクタ部６を備えている。そして、電気接続箱１Ｂは、ＥＣＵ設置空間部４５ＢにいわゆるＥＣＵ１００Ｂが嵌合されると共に、当該ＥＣＵ１００ＢがＥＣＵコネクタ部６を介して回路配索部材３に電気的に接続される。これにより、電気接続箱１Ｂも、電気接続箱１Ａと同様に、中ロアカバー４Ｂにおいてアッパカバー５とは反対側のスペースを有効に利用してＥＣＵ１００Ｂのプラグイン／ビルトイン構造に対応することができる。
【００６８】
図１８、図１９は、選定されるロアカバー４、及び、パネル体５０の組み合わせが電気接続箱１とは異なった他のバリエーションの電気接続箱１Ｃを示している。図１８、図１９に例示した電気接続箱１Ｃは、電気接続箱１とは異なり小ロアカバー４Ｃを使用し、３つの部品搭載用パネル体５２Ｇ、１つの部品搭載用パネル体５２Ｌ、１つの部品搭載用パネル体５２Ｍの合計５個のパネル体５０を組み合わせて構成されたアッパカバー５によって、当該小ロアカバー４Ｃの開口部４２が塞がれるものである。ここでは、アッパカバー５を構成するパネル体５０は、図２〜図８では例示していない部品搭載用パネル体５２Ｌ、５２Ｍも含まれている。
【００６９】
なお、図１８、図１９に例示した電気接続箱１Ｃに使用される小ロアカバー４Ｃは、積層方向下側の面、すなわち、開口部４２が形成されアッパカバー５が組み付けられる側とは反対側の面に第２開口部４６Ｃを有していてもよい。第２開口部４６Ｃは、小ロアカバー４Ｃの底部４ｂから積層方向下側に突出するように立設された矩形枠状部４６Ｄによって形成される。矩形枠状部４６Ｄは、略ロの字型に形成された壁体として矩形筒状に形成される。矩形枠状部４６Ｄは、積層方向上側の端部が底部４ｂを貫通して収容空間部４１に開口し内部が収容空間部４１と連通する一方、積層方向下側の端部が外部に開口し第２開口部４６Ｃを構成する。第２開口部４６Ｃは、矩形枠状部４６Ｄの内壁面によって形成され、開口部４２と同様に、内法寸法が基準寸法に基づいて設定される。ここでは、小ロアカバー４Ｃは、矩形枠状部４６Ｄの内壁面の第１幅方向に沿った長さ（第２開口部４６Ｃの第１幅方向に沿った内法寸法）、及び、矩形枠状部４６Ｄの内壁面の第２幅方向に沿った長さ（第２開口部４６Ｃの第２幅方向に沿った内法寸法）が共に基準寸法の２倍の長さに形成される。そして、小ロアカバー４Ｃは、第１幅方向、及び、第２幅方向に沿った矩形枠状部４６Ｄの各内壁面にそれぞれ第１幅方向、あるいは、第２幅方向に沿って２つのロア側連結構造４４が並んで位置する。そして、電気接続箱１Ｃは、１つの部品搭載用パネル体５２Ｎ、１つの部品搭載用パネル体５２Ｏの合計２個のパネル体５０を組み合わせて構成された蓋部材としてのサブカバー７によって、当該小ロアカバー４Ｃの第２開口部４６Ｃが塞がれる。つまり、サブカバー７は、少なくとも１つに電子部品２（図１等参照）を搭載する搭載部５１（図１等参照）が設けられた複数のパネル体５０を有し、隣接するパネル体５０同士が相互に連結されることで、第２開口部４６Ｃを塞ぐ蓋部材として機能する。この場合、電気接続箱１Ｃは、矩形枠状部４６Ｄの内部空間部等を介して回路配索部材３の積層方向下側の面から部品搭載用パネル体５２Ｎ、５２Ｏまでコネクタ端子（不図示）等が延在し、部品搭載用パネル体５２Ｎ、５２Ｏに搭載されるコネクタ２２（図１等参照）等の電子部品２と電気的に接続される。これにより、電気接続箱１Ｃは、小ロアカバー４Ｃの積層方向両面に電子部品２を搭載することができる。
【００７０】
以上で説明した電気接続箱１（１Ａ、１Ｂ、１Ｃ）によれば、複数の電子部品２と、複数の電子部品２が接続される回路配索部材３と、中空状の内部に形成され回路配索部材３を収容する収容空間部４１、及び、収容空間部４１と外部とを連通する開口部４２を有するロアカバー４と、少なくとも１つに電子部品２を搭載する搭載部５１が設けられた複数のパネル体５０を有し、隣接するパネル体５０同士が相互に連結された状態で開口部４２を塞ぐアッパカバー５とを備える。以上で説明したワイヤハーネスＷＨによれば、電線Ｗと、上記電気接続箱１とを備える。
【００７１】
したがって、電気接続箱１、ワイヤハーネスＷＨは、電子部品２が接続される回路配索部材３を収容するロアカバー４の開口部４２を塞ぐアッパカバー５を、少なくとも１つに電子部品２を搭載する搭載部５１が設けられた複数のパネル体５０を組み合わせることによって多様に構成することができる。この結果、電気接続箱１、ワイヤハーネスＷＨは、汎用性を向上することができる。
【００７２】
電気接続箱１、ワイヤハーネスＷＨは、例えば、適用される車種等にかかわらず、電子部品２等を可能な限り標準化、共用化すると共に、ロアカバー４やロアカバー４に組み付けられるアッパカバー５を構成するパネル体５０等にバリエーションを持たせることができる。そして、電気接続箱１は、適用される車種等に応じて要求される回路構成、ボリューム等に基づいて、最適な容量のロアカバー４を適宜選定すると共に、当該ロアカバー４に組み付ける複数のパネル体５０等を適宜選定して組み合わせて構成されることで、部材の標準化、共用化による汎用性の向上と、部材の選択多様性による最適化とをバランスよく両立することができる。これにより、電気接続箱１、ワイヤハーネスＷＨは、電子部品２等を標準化、共用化すると共に必要に応じて構成部品を組み合わせることで、適用可能な車種の範囲を拡大させつつ、部材の無駄を抑制し、大型化を抑制した上で最適化しやすくすることができ、例えば、製造コストを抑制することができる。また、電気接続箱１、ワイヤハーネスＷＨは、適用される車種の仕様の変更等に対しても、回路配索部材３の変更に応じてアッパカバー５を構成するパネル体５０等の組み合わせや配置を適宜変更、組み替えすることで容易に対応することができるので、この点でも、汎用性を向上することができる。
【００７３】
なお、電気接続箱１Ｃは、少なくとも１つに電子部品２を搭載する搭載部５１が設けられた複数のパネル体５０を有し、隣接するパネル体５０同士が相互に連結された状態で第２開口部４６Ｃを塞ぐサブカバー７も備える。電気接続箱１Ｃは、第２開口部４６Ｃを塞ぐサブカバー７も、少なくとも１つに電子部品２を搭載する搭載部５１が設けられた複数のパネル体５０を組み合わせることによってアッパカバー５と同様に多様に構成することができる。
【００７４】
より詳細には、以上で説明した電気接続箱１（１Ａ、１Ｂ、１Ｃ）、ワイヤハーネスＷＨによれば、複数のパネル体５０は、アッパカバー５、サブカバー７が開口部４２、第２開口部４６Ｃを塞いだ状態で回路配索部材３に対する設置位置に応じて形状が異なるものを含む。したがって、電気接続箱１、ワイヤハーネスＷＨは、回路配索部材３に対する設置位置に応じて多様に組み合わせたパネル体５０によって、開口部４２、第２開口部４６Ｃを塞ぐためのアッパカバー５、サブカバー７を構成することができる。
【００７５】
さらに、以上で説明した電気接続箱１（１Ａ、１Ｂ、１Ｃ）、ワイヤハーネスＷＨによれば、複数のパネル体５０は、搭載部５１を有し搭載部５１によって開口部４２、第２開口部４６Ｃの一部を塞ぐ部品搭載用パネル体５２と、平坦な板状に形成された閉塞面５７を有し閉塞面５７によって開口部４２、第２開口部４６Ｃの一部を塞ぐ閉塞用パネル体５３とを含む。したがって、電気接続箱１、ワイヤハーネスＷＨは、回路配索部材３の積層方向上側に電子部品２の搭載を要する位置には搭載が必要な電子部品２に応じた部品搭載用パネル体５２が選定され、電子部品２が必要でない位置には必要な大きさの閉塞用パネル体５３が選定された上で、これらを組み合わせて適正にアッパカバー５、サブカバー７を構成することができる。
【００７６】
さらに、以上で説明した電気接続箱１（１Ａ）、ワイヤハーネスＷＨによれば、複数のパネル体５０は、ロアカバー４の開口部４２を形成する内壁面から離間して位置し、他のパネル体５０と隣接可能な各辺にそれぞれ他のパネル体５０が隣接する中央部パネル体６０を含む。したがって、電気接続箱１、ワイヤハーネスＷＨは、アッパカバー５のバリエーションとして、ロアカバー４には直接的には連結されておらず、他のパネル体５０を介して間接的にロアカバー４に連結される中央部パネル体６０を含むアッパカバー５を構成することができるので、この点でも、汎用性と最適化とをバランスよく両立することができる。
【００７７】
さらに、以上で説明した電気接続箱１（１Ａ、１Ｂ、１Ｃ）、ワイヤハーネスＷＨによれば、パネル体５０は、他のパネル体５０と隣接可能な各辺の長さであってロアカバー４とアッパカバー５とが積層される積層方向と直交する方向（第１幅方向、あるいは、第２幅方向）に沿った長さが予め設定された基準寸法の整数倍の長さに形成される。したがって、電気接続箱１、ワイヤハーネスＷＨは、各パネル体５０が予め設定された基準寸法に基づいて標準化された上でバリエーションが設定され、各種類において基準寸法に基づいた寸法で形成されるので、各パネル体５０をアッパカバー５、サブカバー７として組み合わせた際に半端な形状にならないように適正な形状に組み合わせることができる。また、電気接続箱１、ワイヤハーネスＷＨは、ロアカバー４も同様に基準寸法に基づいて標準化された上でバリエーションが設定され、各種類において基準寸法に基づいた寸法で形成されるので、複数のパネル体５０によって構成されたアッパカバー５、サブカバー７を適正に開口部４２、第２開口部４６Ｃ内におさめて、当該開口部４２、第２開口部４６Ｃを塞ぐことができる。
【００７８】
さらに、以上で説明した電気接続箱１（１Ａ、１Ｂ、１Ｃ）、ワイヤハーネスＷＨによれば、パネル体５０は、他のパネル体５０と隣接可能な各面にパネル体側連結構造５９を有し、当該パネル体側連結構造５９が他のパネル体５０のパネル体側連結構造５９と相互に係合して連結される。したがって、電気接続箱１、ワイヤハーネスＷＨは、隣接するパネル体５０同士がパネル体側連結構造５９を介して係合され連結されることで１つのアッパカバー５、サブカバー７を構成することができる。
【００７９】
さらに、以上で説明した電気接続箱１（１Ａ、１Ｂ、１Ｃ）、ワイヤハーネスＷＨによれば、ロアカバー４は、開口部４２を形成する内壁面に、パネル体側連結構造５９と相互に係合して連結されるロア側連結構造４４を有する。したがって、電気接続箱１、ワイヤハーネスＷＨは、複数のパネル体５０を組み合わせて構成されたアッパカバー５、サブカバー７を、パネル体側連結構造５９、及び、ロア側連結構造４４を介してロアカバー４に係合して連結することで、当該アッパカバー５、サブカバー７を適正にロアカバー４に組み付けることができる。
【００８０】
なお、上述した本発明の実施形態に係る電気接続箱、及び、ワイヤハーネスは、上述した実施形態に限定されず、特許請求の範囲に記載された範囲で種々の変更が可能である。
【００８１】
以上の説明では、複数の電子部品２は、種々のヒューズ２１、種々のコネクタ２２等に加えて、ヒューズ端子２３、コネクタ端子２４等を含んで構成されるものとして説明したがこれに限らない。
【００８２】
以上の説明では、ロアカバー４、パネル体５０等は、予め設定された基準寸法に基づいて標準化された上でバリエーションが設定されるものとして説明したがこれに限らない。
【００８３】
以上の説明では、閉塞用パネル体５３の閉塞面５７は、略矩形板状に形成されるものとして説明したが、これに限らず、平坦な板状なら三角形状、矩形以外の多角形状、曲面を有する形状等のいずれの形状であってもよい。
【００８４】
以上の説明では、パネル体側連結構造５９は、各パネル体５０において、他のパネル体５０と隣接可能な各面にそれぞれ設けられるものとして説明したがこれに限らず、各パネル体５０は、例えば、それぞれ異なる形式の連結構造で連結されてもよい。
【００８５】
以上の説明では、ロア側連結構造４４は、係止突起部５９ｄａを有さない点を除いて、パネル体側連結構造５９とほぼ同等の形状に形成されるものとして説明したが、これに限らず、アッパカバー５、サブカバー７をロアカバー４に組み付ける連結構造は、全く別の構造であってもよい。
【符号の説明】
【００８６】
１、１Ａ、１Ｂ、１Ｃ    電気接続箱
２    電子部品
３    回路配索部材
４、４Ａ、４Ｂ、４Ｃ    ロアカバー（収容部材）
５    アッパカバー（蓋部材）
７    サブカバー（蓋部材）
４１    収容空間部
４２    開口部
４４    ロア側連結構造（収容部材側連結構造）
４６Ｃ    第２開口部（開口部）
５０    パネル体
５１    搭載部
５２、５２Ａ、５２Ｂ、５２Ｃ、５２Ｄ、５２Ｅ、５２Ｆ、５２Ｇ、５２Ｈ、５２Ｉ、５２Ｊ、５２Ｋ、５２Ｌ、５２Ｍ、５２Ｎ、５２Ｏ    部品搭載用パネル体
５３、５３Ａ、５３Ｂ、５３Ｃ    閉塞用パネル体
５７    閉塞面
５９    パネル体側連結構造
６０    中央部パネル体
Ｗ    電線
ＷＨ    ワイヤハーネス
【図１】
0006553982.tif 000002
【図２】
0006553982.tif 000003
【図３】
0006553982.tif 000004
【図４】
0006553982.tif 000005
【図５】
0006553982.tif 000006
【図６】
0006553982.tif 000007
【図７】
0006553982.tif 000008
【図８】
0006553982.tif 000009
【図９】
0006553982.tif 000010
【図１０】
0006553982.tif 000011
【図１１】
0006553982.tif 000012
【図１２】
0006553982.tif 000013
【図１３】
0006553982.tif 000014
【図１４】
0006553982.tif 000015
【図１５】
0006553982.tif 000016
【図１６】
0006553982.tif 000017
【図１７】
0006553982.tif 000018
【図１８】
0006553982.tif 000019
【図１９】
0006553982.tif 000020